(57)【要約】      （修正有）【課題】既設の屋根に補修用屋根材などを設置する際の作業性を向上させた屋根上構造物取り付け金具を提供する。【解決手段】基部３の両端に先端を内向きに折り曲げた係止爪部５を有する対向する下向きのクランプ部４と、上向きのボルト６を取付た係止クランプ１と、支持面７の両端に対向する下向きの支持脚８と、この支持面７に貫通孔１１が設けられた支持フレーム２とから構成される。係止クランプ１が支持フレーム２の内部にその支持脚８とクランプ部４とが対向状態で嵌め入れられる。係止クランプ１が既設の各屋根２０のキャップ２６を跨ぐように取り付けられ、支持フレーム２の支持面７に補修用屋根材３０が載置される。ボルト６にナット２９を締め付けることにより、係止クランプ１を接合部材２２に固定するとともに、補修用屋根材３０が支持フレーム２に固定される。【選択図】図２
2007023758.tif 000002
【特許請求の範囲】
【請求項１】
金属製の屋根材（２１）が接合部材（２２）を介して相互に接合され、この接合部材（２２）にキャップ（２６）が嵌め合わされた屋根（２０）の前記キャップ（２６）に跨って取り付けられる係止クランプ（１）と、前記屋根（２０）に取り付けられる屋根上構造物を支持する支持フレーム（２）とからなり、
上記係止クランプ（１）は、板状矩形の基部（３）の両端に下向きのクランプ部（４）が対向して設けられ、この各クランプ部（４）の下端に内向きの係止爪部（５）が形成され、前記基部（３）に上向きのボルト（６）が取り付けられ、前記各係止爪部（５）の間隔が前記キャップ（２６）両側部の折り曲げ部（２８）に係合する間隔に形成されたものであり、
上記支持フレーム（２）は、板状矩形の支持面（７）の両端に下向きの支持脚（８）が対向して設けられ、前記支持面（７）に貫通孔（１１）が設けられ、前記支持脚（８）の長さが、上記係止クランプ（１）のクランプ部（４）の長さよりも長く形成されたものであり、
上記支持フレーム（２）の下方からその支持面（７）の貫通孔（１１）に上記係止クランプ（１）のボルト（６）が挿通され、前記係止クランプ（１）が前記支持フレーム（２）の内部にその支持脚（８）とクランプ部（４）とが対向して嵌め入れられた屋根上構造物取り付け金具。
【請求項２】
上記係止クランプ（１）の各クランプ部（４）が、外向きの傾斜した状態に形成され、前記係止クランプ（１）を前記支持フレーム（２）の内部にその支持脚（８）により各クランプ部（４）を内向きに弾性変形させて嵌め入れたことを特徴とする請求項１に記載の屋根上構造物取り付け金具。
【請求項３】
上記支持フレーム（２）の支持面（７）の支持脚（８）が形成された対向する辺部と直交する対向した各辺部に下向きの補助支持脚（９）が設けられ、この各補助支持脚（９）の下端を外向きに折り曲げた補助支持片（１０）が設けられ、前記補助支持脚（９）の上下方向の長さが前記支持脚（８）の上下方向の長さよりも短く形成されたことを特徴とする請求項１または２に記載の屋根上構造物取り付け金具。
【請求項４】
金属製の屋根材（２１）が接合部材（２２）を介して相互に接合され、その接合部材（２２）にキャップ（２６）が嵌め合わされた屋根（２０）の前記キャップ（２６）に跨って取り付けられる屋根上構造物取り付け金具と、この屋根上構造物取り付け金具に固定され、前記屋根（２０）を覆う補修用屋根材（３０）とからなる補修屋根構造において、
上記屋根上構造物取り付け金具として、請求項１から３のいずれかに記載の屋根上構造物取り付け金具が使用され、上記係止クランプ（１）がその各係止爪部（５）を上記キャップ（２６）両側部の折り曲げ部（２８）の下端に位置して取り付けられ、上記支持フレーム（２）が前記キャップ（２６）を跨いで上記屋根板（２０）上に載置された状態で、上記補修用屋根材（３０）に前記係止クランプ（１）のボルト（６）が貫通され、前記支持フレーム（２）の支持面（７）に前記補修用屋根材（３０）が載置されて、前記係止クランプ（１）のボルト（６）にナット（２９）が締め付けられることで、前記係止クランプ（１）が引き上げられ、前記係止クランプ（１）の各係止爪部（５）が前記キャップ（２６）両側部の折り曲げ部（２８）に係合し、前記支持フレーム（２）に前記補修用屋根材（３０）が固定されたことを特徴とする補修屋根構造。
【請求項５】
金属製の屋根材（２１）が接合部材（２２）を介して相互に接合され、この接合部材（２２）にキャップ（２６）が嵌め合わされた屋根（２０）の前記キャップ（２６）に跨って取り付けられる屋根上構造物取り付け金具と、この屋根上構造物取り付け金具に固定された屋根上構造物とからなる屋根上構造物支持構造において、
前記屋根上構造物取り付け金具として、請求項１から３のいずれかに記載の屋根上構造物取り付け金具を使用し、上記係止クランプ（１）がその各係止爪部（５）を上記キャップ（２６）両側部の折り曲げ部（２８）の下端に位置して取り付けられ、上記支持フレーム（２）が前記キャップ（２６）を跨いで前記屋根（２０）上に載置された状態で、屋根上構造物（３６）に前記係止クランプ（１）のボルト（６）が貫通され、前記支持フレーム（２）の支持面（７）に前記屋根上構造物（３６）が載置され、前記係止クランプ（１）のボルト（６）にナット（２９）を締め付けて、前記係止クランプ（１）を引き上げ、前記係止クランプ（１）の各係止爪部（５）を前記キャップ（２６）両側部の折り曲げ部（２８）に係合させ、前記支持フレーム（２）に屋根上構造物（３６）が固定されたことを特徴とする屋根上構造物支持構造。
【請求項６】
金属製の屋根材（２１）が接合部材（２２）を介して相互に接合され、この接合部材（２２）にキャップ（２６´）が嵌め合わされた屋根（２０）の前記キャップ（２６´）に跨って取り付けられる屋根上構造物取り付け金具と、この屋根上構造物取り付け金具に固定される所要長さをもった雪止め金具（６６）とからなる雪止め金具支持構造において、
上記屋根上構造物取り付け金具として、請求項１または２に記載の屋根上構造物取り付け金具が使用され、この屋根上構造物取り付け金具は、上記係止クランプ（１）の基部（３）のクランプ部（４）が設けられた対向する辺部に直交する対向した辺部の一方に雪止め金具支持部（６０）が設けられ、この雪止め金具支持部（６０）の端部に上向きに折り曲げられた雪止め金具保持部（６１）が形成され、その上端に前記基部（３）側に折り返された係止爪（６２）が形成されたものであり、
上記係止クランプ（１）がその各係止爪部（５）を上記キャップ（２６´）両側部の下端に位置して取り付けられ、上記支持フレーム（２）が上記キャップ（２６）を跨いで前記屋根（２０）上に載置された状態で、前記雪止め金具（６６）の上辺部が、前記雪止め金具保持部（６１）の係止爪（６２）に係止され、前記雪止め金具（６６）と前記雪止め金具保持部（６１）とが結合手段により結合され、
上記係止クランプ（１）のボルト（６）にナット（２９）が締め付けられ、上記係止クランプ（１）が引き上げられ、前記係止クランプ（１）の各係止爪部（５）が上記キャップ（２６）両側部の折り曲げ部（２８）に係合し、前記支持フレーム（２）が上記キャップ（２６）に固定されたことを特徴とする雪止め金具支持構造。
【請求項７】
上記結合手段は、上記雪止め金具保持部（６１）および上記雪止め金具（６６）に設けられた貫通孔（６８、６９）と、ボルト（７０）と、ナット（７１）とから構成され、前記雪止め金具保持部（６１）と前記雪止め金具（６６）との貫通孔（６８、６９）を一致させ、これらの貫通孔（６８、６９）に前記ボルト（７０）が挿通され、前記ナット（７１）が締め付けられて、前記雪止め金具保持部（６１）と前記雪止め金具（６６）とが結合されることを特徴とする請求項６に記載の雪止め金具支持構造。
【請求項８】
上記結合手段は、貫通孔（６５）を有する雪止め金具押さえ板（６４）と、上記係止クランプ（１）のボルト（６）と、ナット（２９）とから構成され、前記雪止め金具押さえ板（６４）の貫通孔（６５）に前記係止クランプ（１）のボルト（６）が挿通され、前記ボルト（６）にナット（２９）が締め付けられて、前記雪止め金具押さえ板（６４）と上記雪止め金具支持部（６０）とに上記雪止め金具（６６）が挟持されるとともに、前記雪止め金具押さえ板（６４）の上記雪止め金具保持部（６１）側の端部を前記雪止め金具（６６）に当接させて、前記係止クランプ（１）と前記雪止め金具（６６）とが結合されることを特徴とする請求項６に記載の雪止め金具支持構造。
【発明の詳細な説明】
【技術分野】
【０００１】
この発明は、既設の屋根の上に、補修用屋根材などの各種屋根上構造物を固定するための屋根上構造物取り付け金具、並びに前記屋根上構造物取り付け金具を用いた補修屋根構造、屋根上構造物支持構造および雪止め金具支持構造に関するものである。
【背景技術】
【０００２】
既設の屋根の上に補修用屋根材などの各種屋根上構造物を取り付ける場合に、従来から、屋根上構造物取り付け金具が用いられている（特許文献１）。
【０００３】
上記屋根上構造物取り付け金具は、図１５に示すように、金属製の屋根材５０が接合部材５２を介して相互に接合され、その接合部５１にキャップ５６が嵌め合わされた既設の屋根の前記キャップ５６に跨って取り付けられる金属板を折り曲げた係止クランプ４０と、この係止クランプ４０の両側板４１、４１を貫通するボルト４２と、ナット４３とから構成される。
【０００４】
上記屋根材５０が相互に接合された断面Ｕ字形の接合部材５２は、その底面が下地材５３を貫通したドリルタッピングねじ５４により母屋５５に固定されたものである。この接合部材５２の上部に嵌め合わせたキャップ５６の両側壁と、接合部材５２の両側壁と、各屋根材５０の側壁５７とを重ね合わせて外向きに折り返した折り曲げ部５８が形成される。
【０００５】
上記係止クランプ４０は、金属板の支持面４４の両端から下向きに延び、途中で外向きに折り曲げられ、さらに下向きに折り曲げて形成された段部４５を経て、外向きに傾斜する側板４１、４１を有するものである。この各側板４１の下端を内向きに折り曲げた爪部４６が設けられ、前記各側板４１の段部４５よりも上部に前記ボルト４２を挿通する貫通孔４７が設けられる。
【０００６】
上記各側板４１の段部４５の間隔が、上記接合部材５２の両側端の各折り曲げ部５８と同じ間隔に形成され、前記各側板４１の爪部４６先端の間隔が、上記屋根材５０の接合部５１の各折り曲げ部５８の間隔よりも大きく形成される。
【０００７】
既設の屋根材５０上に補修用屋根材５９を設置する際に、上記係止クランプ４０が、前記屋根材５０の接合部５１に嵌め合わされたキャップ５６に跨って取り付けられる。この係止クランプ４０は、その各側板４１の段部４５が各折り曲げ部５８の上端部に当たって位置決めされるものである。
【０００８】
位置決めされた係止クランプ４０の各側板４１の貫通孔４７にボルト４２が挿通され、ナット４３が締め付けられる。これにより、両側板４１が互いに接近し、この両側板４１の各爪部４６が屋根材５０の側壁５７を両側から挟むとともに各折り曲げ部５８に係合して係止クランプ４０が屋根材５０の接合部５１に固定される。
【０００９】
固定された係止クランプ４０の支持面４４に補修用屋根材５９を載置し、これをドリルタッピングねじ４８で係止クランプ４０に固定することにより、既設の屋根材５０の上に補修用屋根材５９を固定することができる。
【００１０】
また、従来の屋根上構造物取り付け金具は、前述のように係止クランプ４０の支持面４４の上に、補修用屋根材５９のような屋根材を固定することができるが、例えば植木鉢やプランターを支える緑化ボード、太陽熱温水器、太陽光発電パネルなどの各種屋根上構造物を固定することも想定される。
【特許文献１】特開平１０−２１９９３７号公報
【発明の開示】
【発明が解決しようとする課題】
【００１１】
上記特許文献１に記載の屋根上構造物取り付け金具は、既設の屋根材５０上に補修用屋根材５９などを設置するために、係止クランプ４０を前記屋根材５０の接合部５１に固定するためのボルト４２の他に、係止クランプ４０に補修用屋根材５９などを固定するためのドリルタッピングねじ４８が必要となる。このため、補修用屋根材５９などを設置する際の作業工程が増加し、容易に屋根上構造物を設置することができないという問題があった。
【００１２】
そこで、この発明は、係止クランプを既設の屋根材に固定するボルトと、係止クランプに補修用屋根材などを固定するボルトとを兼用させることにより、補修用屋根材などを設置する際の作業性を向上させた屋根上構造物取り付け金具を得ること、並びに前記屋根上構造物取り付け金具を用いて、補修用屋根材を既設の屋根に設置する際の作業性を向上させた補修屋根構造を得ること、前記屋根上構造物取り付け金具を用いて、屋根上構造物を既設の屋根に設置する際の作業性を向上させた屋根上構造物支持構造を得ること、および前記屋根上構造物取り付け金具を用いて、雪止め金具を既設の屋根に設置する際の作業性を向上させた雪止め金具支持構造を得ることを課題とする。
【課題を解決するための手段】
【００１３】
上記屋根上構造物取り付け金具に関する課題を解決するために、この発明は、金属製の屋根材が接合部材を介して相互に接合され、この接合部材にキャップが嵌め合わされた屋根の前記キャップに跨って取り付けられる係止クランプと、前記屋根に取り付けられる屋根上構造物を支持する支持フレームとからなり、
上記係止クランプは、板状矩形の基部の両端に下向きのクランプ部が対向して設けられ、この各クランプ部の下端に内向きの係止爪部が形成され、前記基部に上向きのボルトが取り付けられ、前記各係止爪部の間隔が前記キャップ両側部の折り曲げ部に係合する間隔に形成されたものであり、
上記支持フレームは、板状矩形の支持面の両端に下向きの支持脚が対向して設けられ、前記支持面に貫通孔が設けられ、前記支持脚の長さが、上記係止クランプのクランプ部の長さよりも長く形成されたものであり、
上記支持フレームの下方からその支持面の貫通孔に上記係止クランプのボルトが挿通され、前記係止クランプが前記支持フレームの内部にその支持脚とクランプ部とが対向するように嵌め入れられた構成としたものである。
【００１４】
この構成によると、上記係止クランプがその各係止爪部が屋根の接合部に嵌め合わされたキャップの両側部に位置して取り付けられ、上記支持フレームがキャップを跨いで屋根上に載置された状態となる。この状態で、係止クランプのボルトが貫通した補修用屋根材などが支持フレームに載置され、係止クランプのボルトにナットが締め付けられると、支持フレームの支持脚が屋根材に接して反力を受けることで、係止クランプが引き上げられる。これにより、キャップの両側部下端にその係止爪部が係合し、係止クランプがキャップに固定されるとともに、支持フレームに補修用屋根材、各種屋根上構造物、および雪止め金具が固定される。
【００１５】
また、前記係止クランプの各クランプ部が、外向きに傾斜した状態に形成され、前記係止クランプを前記支持フレームの内部にその支持脚により前記係止クランプの各クランプ部を内向きに弾性変形させて嵌め入れた構成とすることもできる。この構成により、係止クランプのクランプ部がその外向きの弾性により支持フレームの支持脚の内壁を押し付け、支持フレームの内部に係止クランプが保持され、支持フレームと係止クランプとが一体化する。
【００１６】
さらに、前記支持フレームの支持面の支持脚が形成された対向する辺部と直交する対向した各辺部に下向きの補助支持脚が設けられ、この各補助支持脚の下端を外向きに折り曲げた補助支持片が設けられ、前記補助支持脚の上下方向の長さが前記支持脚の上下方向の長さよりも短く形成された構成を採用することもできる。
【００１７】
上記構成により係止クランプのボルトにナットを締め付けることで、係止クランプが引き上げられる際の反力と、支持フレームの支持面に掛かる荷重とを、前記支持脚と補助支持片とに分散して受けることができる。
【発明の効果】
【００１８】
以上のように、この発明の屋根上構造物取り付け金具は、係止クランプのボルトにナットを締め付けることにより、係止クランプを既存の屋根に固定するだけでなく、支持フレームに載置した補修用屋根材なども同時に固定することができるため、補修用屋根材、各種屋根上構造物を設置する際の作業性を向上させることができる。
【００１９】
また、この発明の補修屋根構造は、上記の屋根上構造物取り付け金具を用いて構成され、係止クランプのボルトにナットが締め付けられることにより、係止クランプが既設の屋根に固定されるだけでなく、支持フレームに載置した補修用屋根材も同時に固定される。このため、補修用屋根材を既設の屋根の上に設置する際の作業性を向上させることができ、容易に補修用屋根材を設置することができる。
【００２０】
さらに、この発明の屋根上構造物支持構造は、上記の屋根上構造物取り付け金具を用いて構成され、係止クランプのボルトにナットが締め付けられることにより、係止クランプが既設の屋根に固定されるだけでなく、支持フレームに載置した屋根上構造物も同時に固定される。このため、前述の補修屋根構造の場合と同様に、屋根上構造物を屋根の上に設置する際の作業性を向上させることができ、容易に屋根上構造物を設置することができる。
【００２１】
また、この発明の雪止め金具支持構造は、上記の屋根上構造物取り付け金具を用いて構成され、上記係止クランプの基部に係止爪を有する雪止め金具保持部が設けられ、この雪止め金具保持部と雪止め金具とが結合手段により結合される。このため、前記雪止め金具を屋根の上に設置する際の作業性を向上させることができ、容易に雪止め金具を設置することができる。
【発明を実施するための最良の形態】
【００２２】
以下、添付図面に基づいてこの発明の実施形態を説明する。
この発明の第１実施形態の屋根上構造物取り付け金具を図１に示す。この実施形態の屋根上構造物取り付け金具は、金属製の屋根材２１が接合部材２２を介して相互に接合され、その接合部材２２にキャップ２６が嵌め合わされた既設の屋根２０のキャップ２６に跨って取り付けられる係止クランプ１と、前記屋根２０上を覆う補修用屋根材３０等を支持する支持フレーム２とから構成される。
【００２３】
既設の屋根２０には、図２に示すように、屋根板２１を相互に接合する断面Ｕ字形の接合部材２２が下地材２３を貫通したドリルタッピングねじ２４により母屋２５に固定される。前記接合部材２２に嵌め合わせたキャップ２６の両側壁と、接合部材２２の両側壁と、各屋根板２１の側壁２７とを重ね合わせて外向きに折り返した折り曲げ部２８が形成される。
【００２４】
上記係止クランプ１は、図１に示すように、矩形金属板の基部３の両端を下向きに折り曲げた対向するクランプ部４、４を有する。この各クランプ部４は、それぞれ外向きに傾斜し、その下端には互いに内向きに折り返された係止爪部５が設けられるものである。前記基部３の中央には上向きのボルト６が取り付けられる。
【００２５】
上記各係止爪部５は、その先端の間隔が上記の既設の屋根２０の接合部材２２の各折り曲げ部２８に係合する間隔に形成されるものである。このようにすると、係止クランプ１が接合部材２２に跨って取り付けられ、後述する支持フレーム２の貫通孔１１に係止クランプ１のボルト６が挿通され、支持フレーム２に係止クランプ１が嵌め入れられることにより、係止クランプ１の各係止爪部５を接合部材２２の各折り曲げ部２８の下端に位置させることができる。
【００２６】
上記支持フレーム２は、矩形金属板の支持面７の一方の対向する各辺から下向きの支持脚８、８を、他方の対向する各辺から下向きの補助支持脚９、９を設けた下方が開放した箱形体に形成されたものである。前記各補助支持脚９をそれぞれ外向きに折り曲げ、支持面７と平行な補助支持片１０が形成される。支持面７の中央には上記係止クランプ１のボルト６が挿通する貫通孔１１が設けられる。
【００２７】
上記支持フレーム２の支持脚８は、その上下方向の長さが上記係止クランプ１のクランプ部４の上下方向の長さよりも長く形成される。このように設定されると、支持フレーム２に係止クランプ１が嵌め入れられた際に、支持フレーム２の支持脚８の先端からクランプ部４の係止爪部５が突き出さないので、各支持脚８を既設の屋根２０に接地させることができる。
【００２８】
上記係止クランプ１の各クランプ部４は、外向きに傾斜した状態に形成される。係止クランプ１は、支持フレーム２内にその支持脚８によりクランプ部４が内向きに弾性変形して嵌め入れられる。このため、係止クランプ１の各クランプ部４がその外向きの弾性力により支持フレーム２の支持脚８の内壁を押し付ける。これにより、支持フレーム２の内壁に係止クランプ１が保持されて、支持フレーム２と係止クランプ１とを一体化することができる。
【００２９】
この発明の第２実施形態の補修屋根構造を図３に示す。この実施形態の補修屋根構造は、図３に示すように、既設の屋根２０のキャップ２６に跨って取り付けられる上記屋根上構造物取り付け金具と、これに固定される補修用屋根材３０との組み合わせにより構成される。
【００３０】
上記補修用屋根材３０を設置するには、図３に示すように、上記係止クランプ１を内部に保持した支持フレーム２が、既設の屋根２０のキャップ２６に跨って所定数取り付けられ、その各支持脚８を既設の屋根２０に接地させる。このとき、係止クランプ１は、その係止爪部５が屋根板２１の側壁２７を挟む状態（図２の一点鎖線参照）となる。
【００３１】
上記の状態で、補修用屋根材３０に係止クランプ１のボルト６を貫通させ、支持フレーム２の支持面７に補修用屋根材３０を載置し、係止クランプ１のボルト６にナット２９を締め付ける。
【００３２】
これにより、支持フレーム２の各支持脚８が既設の屋根２０に接して反力を受け、係止クランプ１が引き上げられるとともに、係止クランプ１の各係止爪部５が前記屋根材２１の側壁２７に沿って移動して、キャップ２６の折り曲げ部２８下端に各係止爪部５が係止した状態となり（図２の実線参照）、この状態で係止クランプ１が接合部材２２に固定される。
【００３３】
また、上記支持フレーム２の補助支持脚９の補助支持片１０を既設の屋根２０のキャップ２６の底面に突き当てることにより、係止クランプ１が引き上げられる際の反力と、支持フレーム２の支持面７に掛かる荷重とを、前記支持脚８と補助支持片１０とにより分散して受けることができる。
【００３４】
前述のようにして、係止クランプ１のボルト６にナット２９を締め付けることにより、係止クランプ１を既設の屋根２０の接合部材２２に固定することができるだけでなく、支持フレーム２に新設の補修用屋根材３０を同時に固定することもでき、容易に新設の補修用屋根材３０を既設の屋根２０上に設置することができる。
【００３５】
次に、この発明の第３実施形態の補修屋根構造を図４、５に示す。この実施形態の補修屋根構造は、図４に示すように、既設の屋根２０のキャップ２６に跨って取り付けられる上記屋根上構造物取り付け金具と、これに固定されるタイトフレーム３２と、このタイトフレーム３２と一体に固定される折板屋根材３１との組み合わせにより構成されるものである。
【００３６】
上記屋根上構造物取り付け金具が、図４に示すように、既設の屋根２０のキャップ２６に跨って取り付けられ、支持フレーム２の支持面７を貫通したボルト６にタイトフレーム３２の谷部３３を挿通する。このボルト６に折板屋根材３１の谷部３４を挿通して、図５に示すように、タイトフレーム３２の形状に対応させて折板屋根材３１を載置する。
【００３７】
上記折板屋根材３１の谷部３４を貫通したボルト６にナット２９を締め付けると、支持フレーム２の各支持脚８が既設の屋根２０に接して反力を受けて、係止クランプ１が引き上げられる。これにより、係止クランプ１の各係止爪部５がキャップ２６の各折り曲げ部２８に係合し、係止クランプ１が接合部材２２に固定されるとともに、前記支持フレーム２の支持面７に折板屋根材３１が同時に固定され、容易に折板屋根材３１を既設の屋根２０上に設置することができる。
【００３８】
次に、この発明の第４実施形態の補修屋根構造を図６に示す。この実施形態の補修屋根構造は、図６に示すように、既設の屋根２０のキャップ２６に跨って取り付けられる上記屋根上構造物取り付け金具と、これに固定される波形スレート屋根材３５との組み合わせにより構成される。
【００３９】
上記屋根上構造物取り付け金具の支持フレーム２の支持面７が、図６に示すように、上記波形スレート屋根材３５の湾曲部分と接するように断面波形に形成される。これにより、この波形スレート屋根材３５に係止クランプ１のボルト６を貫通させ、前記波形スレート屋根３５を支持フレーム２の支持面７に載置することができる。
【００４０】
上記波形スレート屋根材３５を支持フレーム２の支持面７に載置し、この波形スレート屋根材３５を貫通したボルト６にナット２９を締め付けると、支持フレーム２の各支持脚８が既設の屋根２０に接して反力を受けることにより、係止クランプ１が引き上げられる。これにより、係止爪部５がキャップ２６の各折り曲げ部２８に係合し、係止クランプ１が接合部材２２に固定されるとともに、前記支持フレーム２の支持面７に波形スレート屋根材３５も同時に固定され、容易に波形スレート屋根材３５を既設の屋根２０上に設置することができる。
【００４１】
また、この発明の第５実施形態の屋根上構造物支持構造を図７に示す。この実施形態の屋根上構造物支持構造は、既設の屋根２０のキャップ２６に跨って取り付けられる上記屋根上構造物取り付け金具と、これに固定される緑化ボード３６との組み合わせにより構成される。前記緑化ボード３６は、図７に示すように、所定位置に植木鉢３８などを差し込み支持するための差し込み穴３７が設けられたものである。
【００４２】
まず、上記支持フレーム２が既設の屋根２０のキャップに跨って取り付けられる。このとき、支持フレーム２は、これが緑化ボード３６の少なくとも各コーナー付近に配置した状態で取り付けられることが好ましい。各コーナー付近に取り付けられることにより、この緑化ボード３６がより安定した状態で既設の屋根２０に固定することができる。
【００４３】
次に、この緑化ボード３６に係止クランプ１のボルト６を貫通させ、緑化ボード３６を支持フレーム２の支持面７に載置する。この緑化ボード３６を貫通したボルト６にナット２９を締め付けると、支持フレーム２の各支持脚８が既設の屋根２０に接して反力を受け、係止クランプ１が引き上げられる。これにより、係止爪部５がキャップ２６の各折り曲げ部２８に係合し、係止クランプ１が接合部材２２に固定されるとともに、前記支持フレーム２の支持面７に緑化ボード３６も同時に固定され、容易に緑化ボード３６を既設の屋根２０上に設置することができる。
【００４４】
設置された緑化ボード３６の差し込み穴３７に植物を植えた植木鉢３８などを差し込んで、既設の屋根材２１の上に載せることで、既設の屋根２０の上を緑化することができる（図８参照）。なお、この実施形態の屋根上構造物支持構造において用いられる屋根上構造物は、前述のように、緑化ボード３６に限られるものではなく、太陽熱温水器、太陽光発電パネルなどの各種屋根上構造物を固定してもよい。
【００４５】
また、この発明の第６実施形態の雪止め金具支持構造を図９から図１１に示す。この実施形態の雪止め金具支持構造は、図１０に示すように、既設の屋根２０のキャップ２６´に跨って取り付けられる上記屋根上構造物取り付け金具と、この屋根上構造物取り付け金具に結合手段により結合される所要長さをもった断面Ｌ字形の雪止め金具６６との組み合わせにより構成される。
【００４６】
上記の実施形態は、図１０に示すように、既設の屋根２０のキャップ２６´が前述した第２実施形態から第５実施形態が適用された既設の屋根２０に使用されたキャップ２６と異なる場合にも適用できる（図２、３参照）。すなわち、前記キャップ２６´は、その両側部が接合部材２２の両側部を覆い、その両側部の括れ部６７が接合部材２２と係合したものである。
【００４７】
上記屋根上構造物取り付け金具は、図９に示すように、その係止クランプ１の基部３のクランプ部４が設けられた対向する辺部に対して直交する対向した辺部の一方に雪止め金具支持部６０が設けられたものである。この雪止め金具支持部６０には、上向きに折り曲げられた雪止め金具保持部６１が設けられ、その上端に前記基部３側に折り返された係止爪６２が形成される。
【００４８】
また、上記支持フレーム２は、その支持脚８が支持面７の両端から下向きに延び、途中で外向きに折り曲げられ、さらに下向きに折り曲げて形成された段部を経て、外向きに延びた支持片を有するものである。このようにすると、係止クランプ１が引き上げられる際の反力と、支持フレーム２の支持面７に掛かる荷重とを、前記支持脚８の支持片全体で受けることができる。
【００４９】
まず、上記係止クランプ１がその各係止爪部５を前記キャップ２６´両側部の括れ部６７に係合され、上記支持フレーム２が、係止クランプ１が係合したキャップ２６´を跨いで前記屋根２０上に配置された状態となる。この状態で、上記雪止め金具６６の上辺部が雪止め金具保持部６１の係止爪６２に係止され、雪止め金具６６と雪止め金具保持部６１とが上記結合手段により結合される。
【００５０】
上記結合手段は、雪止め金具保持部６１および雪止め金具６６に設けられた貫通孔６８、６９と、ボルト７０と、ナット７１とから構成される。前記雪止め金具保持部６１と前記雪止め金具６６との貫通孔６８、６９を一致させ、ボルト７０を挿通し、ナット７１を締め付けて、雪止め金具保持部６１と雪止め金具６６とが結合される。なお、この雪止め金具６６は、その形状が断面Ｌ字形に限られるものではなく、雪止め金具保持部６１の係止爪６２に上辺部が係止するもの、例えば、板状に形成されたものでもよい。
【００５１】
上記係止クランプ１のボルト６にナット２９が締め付けられると、係止クランプ１の基部３に支持フレーム２の支持面７が接近し、支持フレーム２の支持脚８が屋根２０に接地して、支持フレーム２がキャップ２６´に固定される。このようにして、図１１に示すように、所定数の前記雪止め金具６６を傾斜角θを有する既設の屋根２０に、支持フレーム２に対して同じ側（屋根２０の頂部側）に向けた状態で容易に設置することができる。
【００５２】
この発明の第７実施形態の雪止め金具支持構造を図１２から図１４に示す。この場合の実施形態は、図１２に示すように、上記雪止め金具６６と雪止め金具保持部６１との結合手段が前述した第６実施形態の場合と相違し、その他の構成は第６実施形態の場合と同様である。すなわち、前記結合手段は、貫通孔６５を有する雪止め金具押さえ板６４と、上記係止クランプ１のボルト６と、ナット２９とから構成される。
【００５３】
上記雪止め金具押さえ板６４は、その長さ方向両辺部に同方向にフランジが形成され、係止クランプ１のボルト６が挿通される貫通孔６５が設けられる。その長さが、上記雪止め金具６６が雪止め保持部６１に結合される際に、この雪止め金具６６を雪止め金具保持部６１とで挟持する長さに設定される（図１２（ｂ）参照）。上記雪止め金具支持部６０には、上方に屈曲した段部６３が形成される。
【００５４】
上記雪止め金具押さえ板６４の貫通孔６５に係止クランプ１のボルト６が挿通され、ナット２９が締め付けられると、雪止め金具押さえ板６４と雪止め金具支持部６０の段部６３とで雪止め金具６６が挟持されるとともに、雪止め金具押さえ板６４の端部と雪止め金具保持部６１とで雪止め金具６６が挟持される。また、係止クランプ１の基部３に支持フレーム２の支持面７が接近し、支持フレーム２の支持脚８が屋根２０に接地して、支持フレーム２がキャップ２６´に固定される（図１３参照）。
これにより、係止クランプ１のボルト６にナット２９を締め付けることにより、雪止め金具６６と雪止め金具保持部６１との結合と、支持フレーム２の屋根２０への固定を同時に行うことができる。このため、図１４に示すように、所定数の雪止め金具６６を傾斜角θを有する既設の屋根２０に、支持フレーム２に対して同じ側（屋根２０の頂部側）に向けた状態で容易に設置することができる。
【図面の簡単な説明】
【００５５】
【図１】第１実施形態の屋根上構造物取り付け金具を示す分解斜視図
【図２】同上の屋根上構造物取り付け金具の使用時における断面図
【図３】第２実施形態の補修屋根構造の一部切り欠き斜視図
【図４】第３実施形態の補修屋根構造の断面図
【図５】同上の補修屋根構造の一部切り欠き正面図
【図６】第４実施形態の補修屋根構造の一部切り欠き断面図
【図７】第５実施形態の屋根上構造物支持構造の正面図
【図８】図７のＢ−Ｂ線の断面図
【図９】（ａ）第６実施形態の雪止め金具支持構造を示す分解斜視図、（ｂ）同上の雪止め金具支持構造の使用時における斜視図
【図１０】同上の雪止め金具支持構造の使用時における断面図
【図１１】同上の雪止め金具支持構造の使用時における側面図
【図１２】（ａ）第７実施形態の雪止め金具支持構造を示す分解斜視図、（ｂ）同上の雪止め金具支持構造の使用時における斜視図
【図１３】同上の雪止め金具支持構造の使用時における断面図
【図１４】同上の雪止め金具支持構造の使用時における側面図
【図１５】従来の屋根上構造物取り付け金具の使用時における断面図
【符号の説明】
【００５６】
１  係止クランプ
２  支持フレーム
３  基部
４  クランプ部
５  係止爪部
６  ボルト
７  支持面
８  支持脚
９  補助支持脚
１０  補助支持片
１１  貫通孔
２０  屋根
２１  屋根材
２２  接合部材
２３  下地材
２４  ドリルタッピングねじ
２５  母屋
２６、２６´  キャップ
２７  側壁
２８  折り曲げ部
２９  ナット
３０  補修用屋根材
３１  折板屋根材
３２  タイトフレーム
３３  谷部
３４  谷部
３５  波形スレート屋根材
３６  緑化ボード
３７  差し込み穴
３８  植木鉢
４０  係止クランプ
４１  側板
４２  ボルト
４３  ナット
４４  支持面
４５  段部
４６  爪部
４７  貫通孔
４８  ドリルタッピングねじ
５０  屋根材
５１  接合部
５２  接合部材
５３  下地材
５４  ドリルタッピングねじ
５５  母屋
５６  キャップ
５７  側壁
５８  折り曲げ部
５９  補修用屋根材
６０  雪止め金具支持部
６１  雪止め金具保持部
６２  係止爪
６３  段部
６４  雪止め金具押さえ板
６５  貫通孔
６６  雪止め金具
６７  括れ部
６８  貫通孔
６９  貫通孔
７０  ボルト
７１  ナット
【図１】
2007023758.tif 000003
【図２】
2007023758.tif 000004
【図３】
2007023758.tif 000005
【図４】
2007023758.tif 000006
【図５】
2007023758.tif 000007
【図６】
2007023758.tif 000008
【図７】
2007023758.tif 000009
【図８】
2007023758.tif 000010
【図９】
2007023758.tif 000011
【図１０】
2007023758.tif 000012
【図１１】
2007023758.tif 000013
【図１２】
2007023758.tif 000014
【図１３】
2007023758.tif 000015
【図１４】
2007023758.tif 000016
【図１５】
2007023758.tif 000017